【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
有害物質貯蔵処分施設であって、
地球の中に延在し、少なくとも地球表面の近位に入口を備える、ドリル孔であって、前記ドリル孔は、略垂直ドリル孔部分と、前記略垂直ドリル孔部分に結合された遷移ドリル孔部分と、前記遷移ドリル孔部分に結合された有害物質貯蔵ドリル孔部分とを備え、前記遷移ドリル孔部分または前記有害物質貯蔵ドリル孔部分のうちの少なくとも１つは、前記地球表面に向かって、前記略垂直ドリル孔部分と前記遷移ドリル孔部分との間の交差点から離れるように垂直に指向されている、分離ドリル孔部分を備える、ドリル孔と、
前記有害物質貯蔵ドリル孔部分内に位置付けられた貯蔵キャニスタであって、前記貯蔵キャニスタは、前記ドリル孔入口から、前記略垂直ドリル孔部分を通して、前記遷移ドリル孔部分を通して、前記ドリル孔の前記有害物質貯蔵ドリル孔部分の中に嵌合するように定寸され、前記貯蔵キャニスタは、有害物質を封入するように定寸された内側空洞を備える、貯蔵キャニスタと、
前記ドリル孔内に位置付けられたシールであって、前記シールは、前記ドリル孔の前記有害物質貯蔵ドリル孔部分を前記ドリル孔の前記入口から分離する、シールと
を備える、有害物質貯蔵処分施設。
【請求項２】
前記分離ドリル孔部分は、第１の深さにおいて前記遷移ドリル孔部分に結合された近位端と、前記第１の深さよりも浅い第２の深さにおいて前記近位端と対向する遠位端とを備える、垂直に傾斜したドリル孔部分を備える、請求項１に記載の有害物質貯蔵処分施設。
【請求項３】
前記垂直に傾斜したドリル孔部分は、前記有害物質貯蔵ドリル孔部分を備える、請求項２に記載の有害物質貯蔵処分施設。
【請求項４】
前記垂直に傾斜したドリル孔部分の傾斜角は、少なくとも部分的に、前記垂直に傾斜したドリル孔部分を囲繞する地質的累層の擾乱区域と関連付けられる距離と、前記貯蔵キャニスタの最低部分および前記略垂直ドリル孔部分に接する距離の長さとに基づいて判定される、請求項２に記載の有害物質貯蔵処分施設。
【請求項５】
前記地質的累層の前記擾乱区域と関連付けられる距離は、前記擾乱区域の外側円周と前記垂直に傾斜するドリル孔部分の半径方向中心線との間の距離を含む、請求項４に記載の有害物質貯蔵処分施設。
【請求項６】
前記分離ドリル孔部分は、前記略垂直ドリル孔部分と前記有害物質貯蔵ドリル孔部分との間に結合されたＪ区分ドリル孔部分を備え、前記Ｊ区分ドリル孔部分は、前記遷移ドリル孔部分を備える、請求項１に記載の有害物質貯蔵処分施設。
【請求項７】
前記有害物質貯蔵ドリル孔部分は、略水平ドリル孔部分または垂直に傾斜したドリル孔部分のうちの少なくとも１つを備える、請求項６に記載の有害物質貯蔵処分施設。
【請求項８】
前記分離ドリル孔部分は、前記遷移ドリル孔部分に結合された垂直に波状のドリル孔部分を備え、前記遷移ドリル孔部分は、前記略垂直ドリル孔部分と前記垂直に波状のドリル孔部分との間に湾曲したドリル孔部分を備える、請求項１に記載の有害物質貯蔵処分施設。
【請求項９】
前記有害物質貯蔵ドリル孔部分は、シェール累層、塩累層、または他の不浸透性累層のうちの少なくとも１つを含む障壁層内もしくはその下方に位置し、前記有害物質貯蔵ドリル孔部分は、前記障壁層によって、可動水を含む地下区域から垂直に分離される、請求項１に記載の有害物質貯蔵処分施設。
【請求項１０】
前記有害物質は、使用済み核燃料を含む、請求項１に記載の有害物質貯蔵処分施設。
【請求項１１】
前記地球表面またはその近位から、前記ドリル孔を通して、前記有害物質貯蔵ドリル孔部分の中に延在する、少なくとも１つのケーシングアセンブリをさらに備える、請求項１に記載の有害物質貯蔵処分施設。
【請求項１２】
前記分離ドリル孔部分は、螺旋ドリル孔を備える、請求項１に記載の有害物質貯蔵処分施設。
【請求項１３】
前記分離ドリル孔部分は、その中に前記分離ドリル孔部分が形成される岩石累層の応力状態から独立して規定される幾何学形状を備える、請求項１に記載の有害物質貯蔵処分施設。
【請求項１４】
有害物質を貯蔵するための方法であって、
地球表面の中に延在するドリル孔の入口を通して貯蔵キャニスタを移動させることであって、前記入口は、少なくとも前記地球表面の近位にあり、前記貯蔵キャニスタは、有害物質を封入するように定寸された内側空洞を備える、ことと、
略垂直ドリル孔部分と、前記略垂直ドリル孔部分に結合された遷移ドリル孔部分と、前記遷移ドリル孔部分に結合された有害物質貯蔵ドリル孔部分とを備える前記ドリル孔を通して前記貯蔵キャニスタを移動させることであって、前記遷移ドリル孔部分または前記有害物質貯蔵ドリル孔部分のうちの少なくとも１つは、前記地球表面に向かって、前記略垂直ドリル孔部分と前記遷移ドリル孔部分との間の交差点から離れるように垂直に指向されている、分離ドリル孔部分を備える、ことと、
前記貯蔵キャニスタを前記有害物質貯蔵ドリル孔部分の中に移動させることと、
前記有害物質貯蔵ドリル孔部分を前記ドリル孔の前記入口から分離するシールを前記ドリル孔内に形成することと
を含む、方法。
【請求項１５】
前記分離ドリル孔部分は、第１の深さにおいて前記遷移ドリル孔部分に結合された近位端と、前記第１の深さよりも浅い第２の深さにおいて前記近位端と対向する遠位端とを備える、垂直に傾斜したドリル孔部分を備える、請求項１４に記載の方法。
【請求項１６】
前記垂直に傾斜したドリル孔部分は、前記有害物質貯蔵ドリル孔部分を備える、請求項１５に記載の方法。
【請求項１７】
前記垂直に傾斜したドリル孔部分の傾斜角は、少なくとも部分的に、前記垂直に傾斜したドリル孔部分を囲繞する地質的累層の擾乱区域と関連付けられる距離と、前記貯蔵キャニスタの最低部分および前記略垂直ドリル孔部分に接する距離の長さとに基づいて判定される、請求項１４に記載の方法。
【請求項１８】
前記地質的累層の前記擾乱区域と関連付けられる距離は、前記擾乱区域の外側円周と前記垂直に傾斜するドリル孔部分の半径方向中心線との間の距離を含む、請求項１７に記載の方法。
【請求項１９】
前記分離ドリル孔部分は、前記略垂直ドリル孔部分と前記有害物質貯蔵ドリル孔部分との間に結合されたＪ区分ドリル孔部分を備え、前記Ｊ区分ドリル孔部分は、前記遷移ドリル孔部分を備える、請求項１４に記載の方法。
【請求項２０】
前記有害物質貯蔵ドリル孔部分は、略水平ドリル孔部分または垂直に傾斜したドリル孔部分のうちの少なくとも１つを備える、請求項１９に記載の方法。
【請求項２１】
前記分離ドリル孔部分は、前記遷移ドリル孔部分に結合された垂直に波状のドリル孔部分を備え、前記遷移ドリル孔部分は、前記略垂直ドリル孔部分と前記垂直に波状のドリル孔部分との間に湾曲したドリル孔部分を備える、請求項１４に記載の方法。
【請求項２２】
前記有害物質貯蔵ドリル孔部分は、シェール累層、塩累層、または他の不浸透性累層のうちの少なくとも１つを含む障壁層内もしくはその下方に位置し、前記有害物質貯蔵ドリル孔部分は、前記障壁層によって、可動水を含む地下区域から垂直に分離される、請求項１４に記載の方法。
【請求項２３】
前記有害物質は、使用済み核燃料を含む、請求項１４に記載の方法。
【請求項２４】
前記地球表面またはその近位から、前記ドリル孔を通して、前記有害物質貯蔵ドリル孔部分の中に延在する、少なくとも１つのケーシングアセンブリをさらに備える、請求項１４に記載の方法。
【請求項２５】
前記ドリル孔から前記シールを除去することと、
前記有害物質貯蔵ドリル孔部分から前記地球表面に前記貯蔵キャニスタを回収することと
をさらに含む、請求項１４に記載の方法。
【請求項２６】
前記有害物質貯蔵ドリル孔部分の近位に位置付けられるセンサから、前記貯蔵キャニスタと関連付けられる少なくとも１つの変数を監視することと、
前記地球表面において前記監視される変数を記録することと
をさらに含む、請求項１４に記載の方法。
【請求項２７】
前記監視される変数は、放射線レベル、温度、圧力、酸素の存在、水蒸気の存在、液体水の存在、酸性度、または地震活動のうちの少なくとも１つを含む、請求項２６に記載の方法。
【請求項２８】
ある閾値を超える前記監視される変数に基づいて、
前記ドリル孔から前記シールを除去することと、
前記有害物質貯蔵ドリル孔部分から前記地球表面に前記貯蔵キャニスタを回収することと
をさらに含む、請求項２７に記載の方法。
【請求項２９】
前記分離ドリル孔部分は、螺旋ドリル孔を備える、請求項１４に記載の方法。
【請求項３０】
有害物質を貯蔵するための方法であって、
地球表面の中に延在するドリル孔の入口を通して貯蔵キャニスタを移動させることであって、前記入口は、少なくとも前記地球表面の近位にあり、前記貯蔵キャニスタは、有害物質を封入するように定寸された内側空洞を備える、ことと、
略垂直ドリル孔部分と、前記略垂直ドリル孔部分に結合された遷移ドリル孔部分と、前記遷移ドリル孔部分に結合された有害物質貯蔵ドリル孔部分とを備える前記ドリル孔を通して前記貯蔵キャニスタを移動させることであって、前記有害物質貯蔵ドリル孔部分は、自己回復地質的累層の下方に位置し、前記有害物質貯蔵ドリル孔部分は、前記自己回復地質的累層によって、可動水を含む地下区域から垂直に分離される、ことと、
前記貯蔵キャニスタを前記有害物質貯蔵ドリル孔部分の中に移動させることと、
前記ドリル孔の貯蔵部分を前記ドリル孔の前記入口から分離するシールを前記ドリル孔内に形成することと
を含む、方法。
【請求項３１】
前記自己回復地質的累層は、シェール、塩、粘土、またはドロマイトのうちの少なくとも１つを備える、請求項３０に記載の方法。
【請求項３２】
有害物質貯蔵処分施設であって、
地球の中に延在し、少なくとも地球表面の近位に入口を備える、ドリル孔であって、前記ドリル孔は、略垂直ドリル孔部分と、前記略垂直ドリル孔部分に結合された遷移ドリル孔部分と、前記遷移ドリル孔部分に結合された有害物質貯蔵ドリル孔部分とを備え、前記有害物質貯蔵ドリル孔部分は、自己回復地質的累層の下方に位置し、前記有害物質貯蔵ドリル孔部分は、前記自己回復地質的累層によって、可動水を含む地下区域から垂直に分離され、前記遷移ドリル孔部分または前記有害物質貯蔵ドリル孔部分のうちの少なくとも１つは、前記地球表面に向かって、前記略垂直ドリル孔部分と前記遷移ドリル孔部分との間の交差点から離れるように垂直に指向されている、分離ドリル孔部分を備える、ドリル孔と、
前記有害物質貯蔵ドリル孔部分内に位置付けられた貯蔵キャニスタであって、前記貯蔵キャニスタは、前記ドリル孔入口から、前記略垂直ドリル孔部分を通して、前記遷移ドリル孔部分を通して、前記ドリル孔の有害物質貯蔵ドリル孔部分の中に嵌合するように定寸され、前記貯蔵キャニスタは、有害物質を封入するように定寸された内側空洞を備える、貯蔵キャニスタと、
前記ドリル孔内に位置付けられたシールであって、前記シールは、前記ドリル孔の前記有害物質貯蔵ドリル孔部分を前記ドリル孔の前記入口から分離する、シールと
を備える、有害物質貯蔵処分施設。
【請求項３３】
前記自己回復地質的累層は、シェール、塩、粘土、またはドロマイトのうちの少なくとも１つを備える、請求項３２に記載の有害物質貯蔵処分施設。
【手続補正２】
【補正対象書類名】明細書
【補正対象項目名】００７２
【補正方法】変更
【補正の内容】
【００７２】
本開示に説明される主題の１つ以上の実装の詳細が、付随の図面および下記の説明に記載される。本主題の他の特徴、側面、および利点が、説明、図面、ならびに請求項から明白となるであろう。
本願明細書は、例えば、以下の項目も提供する。
（項目１）
有害物質貯蔵処分施設であって、
地球の中に延在し、少なくとも地球表面の近位に入口を備える、ドリル孔であって、前記ドリル孔は、略垂直ドリル孔部分と、前記略垂直ドリル孔部分に結合された遷移ドリル孔部分と、前記遷移ドリル孔部分に結合された有害物質貯蔵ドリル孔部分とを備え、前記遷移ドリル孔部分または前記有害物質貯蔵ドリル孔部分のうちの少なくとも１つは、前記地球表面に向かって、前記略垂直ドリル孔部分と前記遷移ドリル孔部分との間の交差点から離れるように垂直に指向されている、分離ドリル孔部分を備える、ドリル孔と、
前記有害物質貯蔵ドリル孔部分内に位置付けられた貯蔵キャニスタであって、前記貯蔵キャニスタは、前記ドリル孔入口から、前記略垂直ドリル孔部分を通して、前記遷移ドリル孔部分を通して、前記ドリル孔の前記有害物質貯蔵ドリル孔部分の中に嵌合するように定寸され、前記貯蔵キャニスタは、有害物質を封入するように定寸された内側空洞を備える、貯蔵キャニスタと、
前記ドリル孔内に位置付けられたシールであって、前記シールは、前記ドリル孔の前記有害物質貯蔵ドリル孔部分を前記ドリル孔の前記入口から分離する、シールと
を備える、有害物質貯蔵処分施設。
（項目２）
前記分離ドリル孔部分は、第１の深さにおいて前記遷移ドリル孔部分に結合された近位端と、前記第１の深さよりも浅い第２の深さにおいて前記近位端と対向する遠位端とを備える、垂直に傾斜したドリル孔部分を備える、項目１に記載の有害物質貯蔵処分施設。
（項目３）
前記垂直に傾斜したドリル孔部分は、前記有害物質貯蔵ドリル孔部分を備える、項目２に記載の有害物質貯蔵処分施設。
（項目４）
前記垂直に傾斜したドリル孔部分の傾斜角は、少なくとも部分的に、前記垂直に傾斜したドリル孔部分を囲繞する地質的累層の擾乱区域と関連付けられる距離と、前記貯蔵キャニスタの最低部分および前記略垂直ドリル孔部分に接する距離の長さとに基づいて判定される、項目２に記載の有害物質貯蔵処分施設。
（項目５）
前記地質的累層の前記擾乱区域と関連付けられる距離は、前記擾乱区域の外側円周と前記垂直に傾斜するドリル孔部分の半径方向中心線との間の距離を含む、項目４に記載の有害物質貯蔵処分施設。
（項目６）
前記傾斜角は、約３度である、項目４に記載の有害物質貯蔵処分施設。
（項目７）
前記分離ドリル孔部分は、前記略垂直ドリル孔部分と前記有害物質貯蔵ドリル孔部分との間に結合されたＪ区分ドリル孔部分を備える、項目１に記載の有害物質貯蔵処分施設。
（項目８）
前記Ｊ区分ドリル孔部分は、前記遷移ドリル孔部分を備える、項目７に記載の有害物質貯蔵処分施設。
（項目９）
前記有害物質貯蔵ドリル孔部分は、略水平ドリル孔部分または垂直に傾斜したドリル孔部分のうちの少なくとも１つを備える、項目７に記載の有害物質貯蔵処分施設。
（項目１０）
前記分離ドリル孔部分は、前記遷移ドリル孔部分に結合された垂直に波状のドリル孔部分を備える、項目１に記載の有害物質貯蔵処分施設。
（項目１１）
前記遷移ドリル孔部分は、前記略垂直ドリル孔部分と前記垂直に波状のドリル孔部分との間に湾曲したドリル孔部分を備える、項目１０に記載の有害物質貯蔵処分施設。
（項目１２）
前記有害物質貯蔵ドリル孔部分は、シェール累層、塩累層、または他の不浸透性累層のうちの少なくとも１つを含む障壁層内もしくはその下方に位置する、項目１に記載の有害物質貯蔵処分施設。
（項目１３）
前記有害物質貯蔵ドリル孔部分は、前記障壁層によって、可動水を含む地下区域から垂直に分離される、項目１２に記載の有害物質貯蔵処分施設。
（項目１４）
前記有害物質貯蔵ドリル孔部分は、前記障壁層の下方に形成され、前記障壁層によって可動水を含む前記地下区域から垂直に分離される、項目１２に記載の有害物質貯蔵処分施設。
（項目１５）
前記有害物質貯蔵ドリル孔部分は、前記障壁層内に形成され、前記障壁層の少なくとも一部によって可動水を含む前記地下区域から垂直に分離される、項目１２に記載の有害物質貯蔵処分施設。
（項目１６）
前記障壁層は、約０．０１ミリダルシ未満の浸透率を含む、項目１２に記載の有害物質貯蔵処分施設。
（項目１７）
前記障壁層は、約１０ＭＰａ未満の脆性を含み、脆性は、前記障壁層の圧縮応力と前記障壁層の引張強度との比率を含む、項目１２に記載の有害物質貯蔵処分施設。
（項目１８）
前記障壁層は、少なくとも約１００フィートの前記有害物質貯蔵ドリル孔部分の近位の厚さを含む、項目１２に記載の有害物質貯蔵処分施設。
（項目１９）
前記障壁層は、前記有害物質の半減期に基づく時間の量にわたって前記障壁層を通して前記貯蔵キャニスタから逃散する前記有害物質の拡散を阻止する、前記有害物質貯蔵ドリル孔部分の近位の厚さを含む、項目１２に記載の有害物質貯蔵処分施設。
（項目２０）
前記障壁層は、約２０〜３０％重量／体積比の粘土または有機物質を備える、項目１２に記載の有害物質貯蔵処分施設。
（項目２１）
前記障壁層は、不浸透性層を備える、項目１２に記載の有害物質貯蔵処分施設。
（項目２２）
前記障壁層は、１０，０００年またはそれを上回る前記有害物質の漏出に関する時定数によって定義される漏出障壁を備える、項目１２に記載の有害物質貯蔵処分施設。
（項目２３）
前記障壁層は、炭化水素または二酸化炭素産出累層を備える、項目１２に記載の有害物質貯蔵処分施設。
（項目２４）
前記有害物質は、使用済み核燃料を含む、項目１に記載の有害物質貯蔵処分施設。
（項目２５）
前記地球表面またはその近位から、前記ドリル孔を通して、前記有害物質貯蔵ドリル孔部分の中に延在する、少なくとも１つのケーシングアセンブリをさらに備える、項目１に記載の有害物質貯蔵処分施設。
（項目２６）
前記貯蔵キャニスタは、ダウンホールツールストリングまたは別の貯蔵キャニスタのうちの少なくとも１つに結合するように構成されている、接続部分を備える、項目１に記載の有害物質貯蔵処分施設。
（項目２７）
前記分離ドリル孔部分は、螺旋ドリル孔を備える、項目１に記載の有害物質貯蔵処分施設。
（項目２８）
前記分離ドリル孔部分は、その中に前記分離ドリル孔部分が形成される岩石累層の応力状態から独立して規定される幾何学形状を備える、項目１に記載の有害物質貯蔵処分施設。
（項目２９）
有害物質を貯蔵するための方法であって、
地球表面の中に延在するドリル孔の入口を通して貯蔵キャニスタを移動させることであって、前記入口は、少なくとも前記地球表面の近位にあり、前記貯蔵キャニスタは、有害物質を封入するように定寸された内側空洞を備える、ことと、
略垂直ドリル孔部分と、前記略垂直ドリル孔部分に結合された遷移ドリル孔部分と、前記遷移ドリル孔部分に結合された有害物質貯蔵ドリル孔部分とを備える前記ドリル孔を通して前記貯蔵キャニスタを移動させることであって、前記遷移ドリル孔部分または前記有害物質貯蔵ドリル孔部分のうちの少なくとも１つは、前記地球表面に向かって、前記略垂直ドリル孔部分と前記遷移ドリル孔部分との間の交差点から離れるように垂直に指向されている、分離ドリル孔部分を備える、ことと、
前記貯蔵キャニスタを前記有害物質貯蔵ドリル孔部分の中に移動させることと、
前記ドリル孔の貯蔵部分を前記ドリル孔の前記入口から分離するシールを前記ドリル孔内に形成することと
を含む、方法。
（項目３０）
前記分離ドリル孔部分は、第１の深さにおいて前記遷移ドリル孔部分に結合された近位端と、前記第１の深さよりも浅い第２の深さにおいて前記近位端と対向する遠位端とを備える、垂直に傾斜したドリル孔部分を備える、項目２９に記載の方法。
（項目３１）
前記垂直に傾斜したドリル孔部分は、前記有害物質貯蔵ドリル孔部分を備える、項目２９に記載の方法。
（項目３２）
前記垂直に傾斜したドリル孔部分の傾斜角は、少なくとも部分的に、前記垂直に傾斜したドリル孔部分を囲繞する地質的累層の擾乱区域と関連付けられる距離と、前記貯蔵キャニスタの最低部分および前記略垂直ドリル孔部分に接する距離の長さとに基づいて判定される、項目２９に記載の方法。
（項目３３）
前記地質的累層の前記擾乱区域と関連付けられる距離は、前記擾乱区域の外側円周と前記垂直に傾斜するドリル孔部分の半径方向中心線との間の距離を含む、項目３２に記載の方法。
（項目３４）
前記傾斜角は、約３度である、項目３２に記載の方法。
（項目３５）
前記分離ドリル孔部分は、前記略垂直ドリル孔部分と前記有害物質貯蔵ドリル孔部分との間に結合されたＪ区分ドリル孔部分を備える、項目２９に記載の方法。
（項目３６）
前記Ｊ区分ドリル孔部分は、前記遷移ドリル孔部分を備える、項目３５に記載の方法。
（項目３７）
前記有害物質貯蔵ドリル孔部分は、略水平ドリル孔部分または垂直に傾斜したドリル孔部分のうちの少なくとも１つを備える、項目３６に記載の方法。
（項目３８）
前記分離ドリル孔部分は、前記遷移ドリル孔部分に結合された垂直に波状のドリル孔部分を備える、項目２９に記載の方法。
（項目３９）
前記遷移ドリル孔部分は、前記略垂直ドリル孔部分と前記垂直に波状のドリル孔部分との間に湾曲したドリル孔部分を備える、項目２９に記載の方法。
（項目４０）
前記有害物質貯蔵ドリル孔部分は、シェール累層、塩累層、または他の不浸透性累層のうちの少なくとも１つを含む障壁層内もしくはその下方に位置する、項目２９に記載の方法。
（項目４１）
前記有害物質貯蔵ドリル孔部分は、前記障壁層によって、可動水を含む地下区域から垂直に分離される、項目４０に記載の方法。
（項目４２）
前記有害物質貯蔵ドリル孔部分は、前記障壁層の下方に形成され、前記障壁層によって可動水を含む前記地下区域から垂直に分離される、項目４０に記載の方法。
（項目４３）
前記有害物質貯蔵ドリル孔部分は、前記障壁層内に形成され、前記障壁層の少なくとも一部によって可動水を含む前記地下区域から垂直に分離される、項目４０に記載の方法。
（項目４４）
前記障壁層は、約０．０１ミリダルシ未満の浸透率を含む、項目４０に記載の方法。
（項目４５）
前記障壁層は、約１０ＭＰａ未満の脆性を含み、脆性は、前記障壁層の圧縮応力と前記障壁層の引張強度との比率を含む、項目４０に記載の方法。
（項目４６）
前記障壁層は、少なくとも約１００フィートの前記有害物質貯蔵ドリル孔部分の近位の厚さを含む、項目３９に記載の方法。
（項目４７）
前記障壁層は、前記有害物質の半減期に基づく時間の量にわたって前記障壁層を通して前記貯蔵キャニスタから逃散する前記有害物質の拡散を阻止する、前記有害物質貯蔵ドリル孔部分の近位の厚さを含む、項目４０に記載の方法。
（項目４８）
前記障壁層は、約２０〜３０％重量／体積比の粘土または有機物質を備える、項目４０に記載の方法。
（項目４９）
前記障壁層は、不浸透性層を備える、項目４０に記載の方法。
（項目５０）
前記障壁層は、１０，０００年またはそれを上回る前記有害物質の漏出に関する時定数によって定義される漏出障壁を備える、項目４０に記載の方法。
（項目５１）
前記障壁層は、炭化水素または二酸化炭素産出累層を備える、項目４０に記載の方法。
（項目５２）
前記有害物質は、使用済み核燃料を含む、項目２９に記載の方法。
（項目５３）
前記地球表面またはその近位から、前記ドリル孔を通して、前記有害物質貯蔵ドリル孔部分の中に延在する、少なくとも１つのケーシングアセンブリをさらに備える、項目２９に記載の方法。
（項目５４）
前記貯蔵キャニスタは、ダウンホールツールストリングまたは別の貯蔵キャニスタのうちの少なくとも１つに結合するように構成されている、接続部分を備える、項目２９に記載の方法。
（項目５５）
前記地球表面の中に延在する前記ドリル孔の前記入口を通して前記貯蔵キャニスタを移動させることに先立って、前記ドリル孔を前記地球表面から地下累層まで形成することをさらに含む、項目２９に記載の方法。
（項目５６）
前記地球表面またはその近位から、前記ドリル孔を通して、前記有害物質貯蔵ドリル孔部分の中に延在するケーシングを前記ドリル孔内に配設することをさらに含む、項目５５に記載の方法。
（項目５７）
前記ケーシングを前記ドリル孔に固結することをさらに含む、項目５６に記載の方法。
（項目５８）
前記ドリル孔を形成することに続けて、前記地下累層から、前記ドリル孔を通して、前記地球表面に炭化水素流体を生産することをさらに含む、項目５７に記載の方法。
（項目５９）
前記ドリル孔から前記シールを除去することと、
前記有害物質貯蔵ドリル孔部分から前記地球表面に前記貯蔵キャニスタを回収することと
をさらに含む、項目２９に記載の方法。
（項目６０）
前記有害物質貯蔵ドリル孔部分の近位に位置付けられるセンサから、前記貯蔵キャニスタと関連付けられる少なくとも１つの変数を監視することと、
前記地球表面において前記監視される変数を記録することと
をさらに含む、項目２９に記載の方法。
（項目６１）
前記監視される変数は、放射線レベル、温度、圧力、酸素の存在、水蒸気の存在、液体水の存在、酸性度、または地震活動のうちの少なくとも１つを含む、項目６０に記載の方法。
（項目６２）
ある閾値を超える前記監視される変数に基づいて、
前記ドリル孔から前記シールを除去することと、
前記有害物質貯蔵ドリル孔部分から前記地球表面に前記貯蔵キャニスタを回収することと
をさらに含む、項目６１に記載の方法。
（項目６３）
前記分離ドリル孔部分は、螺旋ドリル孔を備える、項目２９に記載の方法。
（項目６４）
有害物質を貯蔵するための方法であって、
地球表面の中に延在するドリル孔の入口を通して貯蔵キャニスタを移動させることであって、前記入口は、少なくとも前記地球表面の近位にあり、前記貯蔵キャニスタは、有害物質を封入するように定寸された内側空洞を備える、ことと、
略垂直ドリル孔部分と、前記略垂直ドリル孔部分に結合された遷移ドリル孔部分と、前記遷移ドリル孔部分に結合された有害物質貯蔵ドリル孔部分とを備える前記ドリル孔を通して前記貯蔵キャニスタを移動させることであって、前記有害物質貯蔵ドリル孔部分は、自己回復地質的累層の下方に位置し、前記有害物質貯蔵ドリル孔部分は、前記自己回復地質的累層によって、可動水を含む地下区域から垂直に分離される、ことと、
前記貯蔵キャニスタを前記有害物質貯蔵ドリル孔部分の中に移動させることと、
前記ドリル孔の貯蔵部分を前記ドリル孔の前記入口から分離するシールを前記ドリル孔内に形成することと
を含む、方法。
（項目６５）
前記自己回復地質的累層は、シェール、塩、粘土、またはドロマイトのうちの少なくとも１つを備える、項目６４に記載の方法。
（項目６６）
有害物質貯蔵処分施設であって、
地球の中に延在し、少なくとも地球表面の近位に入口を備える、ドリル孔であって、前記ドリル孔は、略垂直ドリル孔部分と、前記略垂直ドリル孔部分に結合された遷移ドリル孔部分と、前記遷移ドリル孔部分に結合された有害物質貯蔵ドリル孔部分とを備え、前記有害物質貯蔵ドリル孔部分は、自己回復地質的累層の下方に位置し、前記有害物質貯蔵ドリル孔部分は、前記自己回復地質的累層によって、可動水を含む地下区域から垂直に分離される、ドリル孔と、
前記有害物質貯蔵ドリル孔部分内に位置付けられた貯蔵キャニスタであって、前記貯蔵キャニスタは、前記ドリル孔入口から、前記略垂直ドリル孔部分を通して、前記遷移ドリル孔部分を通して、前記ドリル孔の有害物質貯蔵ドリル孔部分の中に嵌合するように定寸され、前記貯蔵キャニスタは、有害物質を封入するように定寸された内側空洞を備える、貯蔵キャニスタと、
前記ドリル孔内に位置付けられたシールであって、前記シールは、前記ドリル孔の前記有害物質貯蔵ドリル孔部分を前記ドリル孔の前記入口から分離する、シールと
を備える、有害物質貯蔵処分施設。
（項目６７）
前記自己回復地質的累層は、シェール、塩、粘土、またはドロマイトのうちの少なくとも１つを備える、項目６６に記載の有害物質貯蔵処分施設。